(57)【特許請求の範囲】
【請求項１】
少なくとも吸引機能又は加圧機能を有する作動体と基端側において結合し、先端側から対象とする管状路の開口部又は管状路内に適用することにより、その管状路と前記作動体を気密状に接続するための接続体であって、
本体部と張出部を有し、
前記本体部は、弾力性を有する材料からなる筒状をなし、
前記本体部の外周部は、基端側から先端側に向かって縮小する部分を有し、基端部よりも先端部が縮小しており、
前記本体部の外周部における軸線方向の１又は２以上の箇所であって１以上は基端部以外の箇所に、弾力性を有する材料からなり、外方に張り出して変形し得る張出部を有し、
前記先端側から前記管状路の開口部を通じて管状路内に挿入された場合に、その開口部及び管状路に適合するように、前記本体部が変形し得ると共に、前記張出部が変形して前記管状路内又は開口部に密着し得、前記管状路と前記作動体を気密状に接続し得るものであることを特徴とする接続体。
【請求項２】
上記本体部の外周部における軸線方向の２以上の箇所に張出部を有し、前記本体部の外周部における２以上の箇所のうち何れかの箇所よりも他の箇所が縮小している請求項１記載の接続体。
【請求項３】
上記張出部が、上記本体部よりも柔軟に変形し得るものである請求項１又は２記載の接続体。
【請求項４】
上記本体部の外周部のうち基端側から先端側に向かって縮小する部分は、基端側から先端側に向かって段階的に縮小するものである請求項１乃至３の何れか１項に記載の接続体。
【請求項５】
上記本体部の外周部が、基端側から先端側に向かって縮小部と非縮小部が交互に繰り返すことにより段階的に縮小するものであり、上記張出部を前記縮小部の基端側又は前記非縮小部の先端側に有する請求項４記載の接続体。
【請求項６】
上記本体部の外周部のうち基端側から先端側に向かって縮小する部分は、基端側から先端側に向かって連続的に縮小するものである請求項１乃至３の何れか１項に記載の接続体。
【請求項７】
上記張出部が本体部の外周部から外方へ張り出す幅が、本体部の外周部における軸線方向の当該箇所の外周で囲まれた内側の横断面積をＳとした場合に、（４Ｓ／π）の正の平方根の７％以上である請求項１乃至６の何れか１項に記載の接続体。
【請求項８】
上記作動体と一体成形されたものである請求項１乃至７の何れか１項に記載の接続体。
【請求項９】
請求項１乃至８の何れか１項に記載の接続体が、その基端側において、少なくとも吸引機能又は加圧機能を有する作動体と結合してなる管状路用具。
【請求項１０】
上記作動体が、弾力性を有する材料により形成された椀形状体からなるものである請求項９記載の管状路用具。
【発明の詳細な説明】
【技術分野】
【０００１】
本発明は、少なくとも吸引機能又は加圧機能を有する作動体と結合し、開口部を有する管状路と前記作動体を気密状に接続するための接続体、及び、その接続体と前記作動体が結合した、排水管の閉塞解除等を行うための管状路用具に関する。
【背景技術】
【０００２】
特開２００９−１００８７９号公報には、柄棒２の先端にゴム状材料等からなるカップ部材４が取り付けられた通水カップ１として、カップ部材４が、柄棒２側に位置する部分球面状の第１部分４Ａと、第１部分４Ａから前方に向かって延出し先端に開口３を有する筒状の第２部分４Ｂとから構成され、第１部分４Ａと第２部分４Ｂとの間の位置に外周方向に張り出すフランジ状の張出縁５が設けられ、張出縁５の前面５Ａと後面５Ｂのうち少なくとも前面５Ａは平坦に形成され、第２部分４Ｂが上記張出縁５より前方に突出して形成されたものが示されている。
【０００３】
このカップ部材４を便器２１の排水口２２に押し付け、張出縁５を排水口２２の周囲の壁部分２３に密着させると、カップ部材４の第２部分４Ｂは先細りの筒状をしていて、しかも弾性変形可能であるため、様々な形態の便器における排水口の口径や形状等に程良く適合し、少なくともその先端部分が該排水口内に確実に嵌合する。また、張出縁５は、カップ部材４の外周方向にフランジ状に延出していて、前面５Ａが平坦かつ平滑な面に形成されているため、排水口２２の周囲の壁部分２３の形状に倣ってスムーズに弾性変形し、全周が該壁部分２３に良好に密接することになる。そのため、この通水カップ１によれば、便器に対して高い密着性を有することにより、排水管内に作用させる流体圧が容易に高められるものとされている。
【０００４】
しかしながら、このような排水管の閉塞解除等を行うための管状路用具については、様々な便器の排水口及び排水管の形状に対応し得ることが求められ、このような点において更なる改善が要望されるところである。
【先行技術文献】
【特許文献】
【０００５】
【特許文献１】特開２００９−１００８７９号公報
【発明の概要】
【発明が解決しようとする課題】
【０００６】
本発明は、少なくとも吸引機能又は加圧機能を有する作動体と、開口部を有する管状路を、効果的に気密状に接続し得る接続体、及び、その接続体と前記作動体が結合した、排水管の閉塞解除等を行うための管状路用具を提供することを目的とする。
【課題を解決するための手段】
【０００７】
本発明は、例えば次のように表すことができる。
【０００８】
(1) 少なくとも吸引機能又は加圧機能を有する作動体と基端側において結合し、先端側から対象とする管状路の開口部又は管状路内に適用することにより、その管状路と前記作動体を気密状に接続するための接続体であって、
本体部と張出部を有し、
前記本体部は、弾力性を有する材料からなる筒状をなし、
前記本体部の外周部は、基端側から先端側に向かって縮小する部分を有し、基端部よりも先端部が縮小しており、
前記本体部の外周部における軸線方向の１又は２以上の箇所であって１以上は基端部以外の箇所に、弾力性を有する材料からなり、外方に張り出して変形し得る張出部を有し、
前記先端側から前記管状路の開口部を通じて管状路内に挿入された場合に、その開口部及び管状路に適合するように、前記本体部が変形し得ると共に、前記張出部が変形して前記管状路内又は開口部に密着し得、前記管状路と前記作動体を気密状に接続し得るものであることを特徴とする接続体。
【０００９】
接続体の本体部の外周部は、基端側から先端側に向かって縮小する部分を有し、基端部よりも先端部が縮小している。
【００１０】
また、接続体の本体部の外周部における軸線方向の１又は２以上の箇所であって１以上は基端部以外の箇所に、弾力性を有する材料からなり、外方に張り出して変形し得る張出部を有する。
【００１１】
そのため、接続体が、その先端側から、管状路の開口部に挿入された場合に、その開口部及び管状路に適合するように、前記本体部が変形し得ると共に、本体部の外周部における軸線方向の１又は２以上の箇所であって１以上は基端部以外の箇所において外方に張り出した張出部が変形して管状路の開口部又は管状路内に密着し得、前記管状路と前記作動体を気密状に接続し得る。
【００１２】
(2) 上記本体部の外周部における軸線方向の２以上の箇所に張出部を有し、前記本体部の外周部における２以上の箇所のうち何れかの箇所よりも他の箇所が縮小している上記(1)記載の接続体。
【００１３】
(3) 上記張出部が、上記本体部よりも柔軟に変形し得るものである上記(1)又は(2)記載の接続体。
【００１４】
(4) 上記本体部の外周部のうち基端側から先端側に向かって縮小する部分は、基端側から先端側に向かって段階的に縮小するものである上記(1)乃至(3)の何れか１項に記載の接続体。
【００１５】
(5) 上記本体部の外周部が、基端側から先端側に向かって縮小部と非縮小部が交互に繰り返すことにより段階的に縮小するものであり、上記張出部を前記縮小部の基端側又は前記非縮小部の先端側に有する上記(4)記載の接続体。
【００１６】
(6) 上記本体部の外周部のうち基端側から先端側に向かって縮小する部分は、基端側から先端側に向かって連続的に縮小するものである上記(1)乃至(3)の何れか１項に記載の接続体。
【００１７】
(7) 上記張出部が本体部の外周部から外方へ張り出す幅が、本体部の外周部における軸線方向の当該箇所の外周で囲まれた内側の横断面積をＳとした場合に、（４Ｓ／π）の正の平方根の７％以上である上記(1)乃至(6)の何れか１項に記載の接続体。
【００１８】
(8) 上記作動体と一体成形されたものである上記(1)乃至(7)の何れか１項に記載の接続体。
【００１９】
(9) 上記(1)乃至(8)の何れか１項に記載の接続体が、その基端側において、少なくとも吸引機能又は加圧機能を有する作動体と結合してなる管状路用具。
【００２０】
(10) 上記作動体が、弾力性を有する材料により形成された椀形状体からなるものである上記(9)記載の管状路用具。
【発明の効果】
【００２１】
本発明の接続体又は管状路用具によれば、接続体が、その先端側から、管状路の開口部に挿入された場合に、その開口部及び管状路に適合するように、接続体の本体部が変形し得ると共に、本体部の外周部における軸線方向の１又は２以上の箇所であって１以上は基端部以外の箇所に有する外方に張り出した張出部が、変形して管状路の開口部又は管状路内に密着し得、前記管状路と前記作動体を気密状に接続し得る。
【図面の簡単な説明】
【００２２】
【図１】管状路用具の正面図である。
【図２】管状路用具の斜視図である。
【図３】接続体の拡大平面図である。
【図４】図３におけるIV−IV断面図である。
【発明を実施するための形態】
【００２３】
[1] 本発明の実施の形態の一例としての接続体及び大便器等の排水管閉塞解除に用い得る管状路用具について、図面を参照しつつ説明する。
【００２４】
この接続体Ａは、その基端側において、少なくとも吸引機能又は加圧機能を有する作動体Ｂと一体的に結合して管状路用具Ｃを構成し、その接続体Ａを、対象とする管状路である大便器の排水管状路の開口部又は排水管状路内に適用することにより、その管状路と前記作動体Ｂを気密状に接続する。
【００２５】
(1) 作動体
【００２６】
作動体Ｂは、吸引機能及び加圧機能を有するものであり、弾力性を有する材料である合成ゴムにより底部を含む全体が形成された略半球殻形の椀形状をなし、その底部の中央部に、軸線が前記略半球殻形体の中心軸線と共通する（すなわち同軸状をなす）円筒状の柄結合部Ｂ１を外方（図１における上方）に突起するように有する。
【００２７】
作動体Ｂと接続体Ａは、合成ゴムにより、椀形状をなす作動体Ｂの開口側部Ｂ２と筒状の接続体Ａの基端部が結合した同軸状の形態に一体状に成形されている。
【００２８】
椀形状をなす作動体Ｂの底部に設けられた柄結合部Ｂ１には、操作用の円管状の柄Ｄの先端部が螺合により結合されている。
【００２９】
作動体Ｂの開口側を接続体Ａを介して対象に適用してその作動体Ｂの底部側から柄Ｄを用いて椀形状部を圧縮することにより対象に加圧力を作用させることができ、圧縮した椀形状部を、柄Ｄを用いて底部側へ引き戻して復元させることにより、対象に吸引力を作用させることができる。
【００３０】
(2) 管状路
【００３１】
管状路（図示せず）は、大便器における排出口を有する孔部である排水管状路と、その排水管状路に連結された排水管により構成されるものである。
【００３２】
(3) 接続体
【００３３】
(3-1) 接続体Ａは、合成ゴムからなる筒状をなす。接続体Ａは、その基端側において、作動体Ｂの開口側部Ｂ２と結合し、接続体Ａと作動体Ｂは同軸状をなす。接続体Ａは、開口端部Ａ１を有する先端側から、管状路の開口部を通じてその管状路内に挿入する等して対象とする管状路の開口部又は管状路内に適用することにより、その管状路と作動体Ｂを気密状に接続するためのものである。
【００３４】
(3-2) 接続体Ａは、本体部ＡＸと張出部を有し、本体部ＡＸの基端部（図１及び図４における本体部ＡＸの上端部）は、作動体Ｂの下端部である開口側部Ｂ２に結合している。
【００３５】
本体部ＡＸは、軸線方向［基端先端方向］の特定長さ部分毎に、先端側に位置するものほど外径が小さいほぼ一定半径の３つの略円筒状外周部を有する。
【００３６】
第１の略円筒状外周部１ａ（非縮小部）は、本体部ＡＸの基端部よりも外径が小さい。
【００３７】
第２の略円筒状外周部２ａ（非縮小部）は、第１の略円筒状外周部１ａよりも外径が小さい。
【００３８】
第３の略円筒状外周部３ａ（非縮小部）は、第２の略円筒状外周部２ａよりも更に外径が小さい。
【００３９】
第１の略円筒状外周部１ａの基端側には、本体部ＡＸの基端部の外径と第１の略円筒状外周部１ａの外径の間を構成する第１の円環状部１ｂ（縮小部）を有し、軸線方向に隣り合う略円筒状外周部同士の間には、それぞれ、外方に向かってやや先端側向きに傾斜した円環状部（縮小部）を有する。すなわち、第１の略円筒状外周部１ａ（非縮小部）と第２の略円筒状外周部２ａ（非縮小部）の間には第２の円環状部２ｂ（縮小部）、第２の略円筒状外周部２ａ（非縮小部）と第３の略円筒状外周部３ａ（非縮小部）の間には第３の円環状部３ｂ（縮小部）をそれぞれ有する。このように、本体部ＡＸの外周部は、基端側から先端側に向かって３段階に縮小している。
【００４０】
接続体Ａの本体部ＡＸの内周面部ＡＸ１は、基端側から先端側に向かって径が連続的にほぼ一定の率で縮小する略円錐台形状をなす。
【００４１】
接続体Ａの本体部ＡＸの基端部の外周で囲まれた内側の横断面積をＳａ、本体部ＡＸの先端部の外周で囲まれた内側の横断面積をＳｂとした場合の［（４Ｓｂ／π）の正の平方根］／［（４Ｓａ／π）の正の平方根］（本体部ＡＸの先端部の外径／本体部ＡＸの基端部の外径）は約０．７であり、接続体Ａの軸線方向の長さは［（４Ｓａ／π）の正の平方根］（本体部ＡＸの基端部の直径）の約０．３倍である。
【００４２】
(3-3) 接続体Ａの本体部ＡＸの外周部における、軸線方向の２箇所である基端部（第１の円環状部１ｂ［縮小部］の基端側）及び先端部（第３の略円筒状外周部３ａ［非縮小部］の先端側）に、それぞれ、当該箇所の先端側及び基端側の何れよりも外方に張り出して柔軟に変形し得る鍔状の張出部Ｆ１及び張出部Ｆ２を有する。
【００４３】
張出部は、作動体Ｂ及び接続体Ａの本体部ＡＸと共に、同じ合成ゴム材料により一体的に成形されている。
【００４４】
張出部Ｆ１及び張出部Ｆ２は、本体部ＡＸを構成する周壁部の厚さよりも薄く、本体部ＡＸの外周部から外方へ張り出す幅は全周にわたり一定であり、本体部ＡＸの外周部における軸線方向の当該箇所の外周で囲まれた内側の横断面積をＳとした場合に、（４Ｓ／π）の正の平方根（外周の直径）の約８乃至１０％であり、ほぼ８乃至１０ｍｍであるため、本体部ＡＸよりも柔軟に変形し得る。
【００４５】
接続体Ａの外周部における外径が異なる軸線方向の２箇所である基端部及び先端部に本体部ＡＸよりも柔軟に変形し得る張出部Ｆ１及び張出部Ｆ２を有することにより、管状路の開口部又は管状路内のうち形状や寸法が異なり得る２箇所以上において、それぞれ接続体Ａの外周部における外径が異なる箇所の別々の張出部が管状路の開口部又は管状路内に密着し得るので、管状路と作動体Ｂを接続体Ａによって確実性高く気密状に接続し得る。そのように気密状に接続した状態で接続体Ａの基端部に結合した作動体Ｂの吸引機能又は加圧機能等を発揮させることにより、排水管に対し吸引又は加圧等を作用させ、排水管の閉塞解除等を効果的に行うことができる。
【００４６】
また、前記のように、本体部ＡＸの外周部は基端側から先端側に向かって３段階に縮小しているため、管状路の開口部又は管状路内のうち形状や寸法が異なり得る箇所において、各段階の外周部が前記開口部又は管状路内に密着し得るので、張出部Ｆ１及び張出部Ｆ２が前記開口部又は管状路内に密着し得ることと相まって、管状路と作動体Ｂを接続体Ａによって一層効果的に気密状に接続し得る。
【００４７】
なお、張出部は、例えば、第２の円環状部２ｂ［縮小部］の基端側、第３の円環状部３ｂ［縮小部］の基端側及び第３の略円筒状外周部３ａ［非縮小部］の先端側（先端部）の３箇所のうち何れか１箇所にのみ設けること、或いは、これらの３箇所に第１の円環状部１ｂ［縮小部］の基端側（基端部）を加えた４箇所のうち任意の２箇所若しくは３箇所又は４箇所全てに設けることもできる。
【００４８】
[2] 本発明の実施の形態を、上記以外の形態を含めて更に説明する。
【００４９】
本発明の接続体は、筒状をなし、少なくとも吸引機能又は加圧機能を有する作動体と基端側において結合し、開口端部を有する先端側から対象とする管状路の開口部又は管状路内に適用することにより、その管状路と前記作動体を気密状に接続するためのものであり、本発明の管状路用具は、前記接続体が、その基端側において、前記作動体と結合してなるものである。
【００５０】
(1) 作動体
【００５１】
作動体は、少なくとも吸引機能又は加圧機能を有するものであり、例えば、吸引機能のみを有するもの、吸引及び復圧機能を有するもの、吸引及び加圧機能を有するものとすることができる。
【００５２】
このような作動体の例としては、変形して吸引機能又は加圧機能を発揮するもの、例えば
弾力性を有する材料（例えば、合成ゴムや天然ゴムのようにゴム状弾性を有する材料、弾力性を有する合成樹脂材料等）により底部を含む全体が形成された椀形状体や、底部側が変形し難い金属や合成樹脂からなり側周部が弾力性を有する材料からなる椀形状体のように、作動体の開口側を接続体を介して対象に適用してその作動体の底部側から（例えば底部側に設けた操作棒又は柄を用いて）椀形状部を圧縮することにより対象に加圧力を作用させることができ、圧縮した椀形状部を（例えば前記操作棒又は柄を用いて）底部側へ引き戻して復元させることにより対象に吸引力を作用させることができるもの；
吸引機能及び加圧機能の両方又は一方を発揮し得るピストン部等を有するもの；
別の吸引装置（動力を利用するものを含む）に接続して吸引機能及び加圧機能の両方又は一方を発揮するもの
等を挙げることができるがこれらに限られるものではない。
【００５３】
(2) 管状路
【００５４】
管状路は、例えば、管により構成されるもの及び管以外のものに形成された孔部により構成されるものの一方、又は、両方が連結したもの、とすることができる。
【００５５】
管状路の例としては、開口部を有する排水管等の管により構成されるもの、器具・装置等における開口部を有する孔部（排水管状路）と、その孔部に連結された排水管等の管（例えば、大便器における排出口を有する孔部に連結された排水管）により構成されるものを挙げることができるが、これらに限るものではない。
【００５６】
管状路は、例えば、水若しくはその他の液体、水等の液体と固体やゲルの混合物、粉粒状体等を流動させて輸送し得るものとすることができる。
【００５７】
(3) 接続体
【００５８】
(3-1) 接続体は、少なくとも吸引機能又は加圧機能を有する作動体と結合（例えば、一体成形により又は別体として結合）し、対象とする管状路の開口部又は管状路内に適用（例えば先端側から管状路の開口部を通じて管状路内に挿入）することにより、その管状路と作動体を気密状に接続するためのものである。尤も、作動体以外に接続体も吸引機能又は加圧機能を発揮し得るものとすることもできる。
【００５９】
(3-2) 接続体は本体部と張出部を有し、本体部は、弾力性を有する材料（例えば、合成ゴムや天然ゴムのようにゴム状弾性を有する材料、弾力性を有する合成樹脂材料等）からなる筒状（例えば、略円筒状、略楕円筒状、略多角形筒状、略円錐台形筒状等、好ましくは略円筒状）をなす。
【００６０】
(3-3) 接続体の本体部の外周部は、基端側から先端側に向かって、一定の率若しくは変化する率で連続的に（例えば円錐台外周面状に一定の率で、又は基端側から先端側に向かって放物線面状に若しくはその他の変化する率で）又は非連続的に（例えば、一定規則に従って若しくは従わずに段階的に）縮小する部分を有する。この縮小する部分は、例えば、接続体の軸線方向［基端先端方向］の全長にわたるものとすることができるほか、軸線方向の基端側、先端側又は中間部の７０乃至８０％にわたるものとすることができるが、これらに限るものではない。
【００６１】
接続体の本体部の外周部が基端側から先端側に向かって非連続的に縮小する部分の、より具体的な形状の例としては、本体部の軸線方向［基端先端方向］の一定長さ又は種々の長さ毎に、先端側に位置するものほど半径が小さい複数のほぼ一定半径の略円筒状外周部（非縮小部）と、軸線方向において隣り合う略円筒状外周部同士の間を構成する縮径部である円環状部（縮小部）からなる形状やこれに類する形状を挙げることができる。
【００６２】
接続体の本体部の外周部は基端部よりも先端部が縮小している。例えば、本体部の基端部の外周で囲まれた内側の横断面積をＳａ、本体部の先端部の外周で囲まれた内側の横断面積をＳｂとした場合の［（４Ｓｂ／π）の正の平方根］／［（４Ｓａ／π）の正の平方根］（円の場合、先端部の外径／基端部の外径）は０．４乃至０．９、好ましくは０．５乃至０．８とすることができ、接続体の軸線方向の長さは、例えば［（４Ｓａ／π）の正の平方根］（円の場合、基端部の外径）の０．１５乃至１倍、好ましくは０．２５乃至０．７倍とすることができる。
【００６３】
(3-4) 接続体の本体部の外周部における軸線方向の１又は２以上の箇所に、弾力性を有する材料（例えば、合成ゴムや天然ゴムのようにゴム状弾性を有する材料、弾力性を有する合成樹脂材料等）からなり、外方に張り出して変形し得る張出部を有する。この張出部は、接続体の本体部の外周部における軸線方向の１又は２以上の箇所であって１以上は基端部以外の箇所（すなわち、基端部以外の１又は２以上の箇所、又は、基端部を含む２以上の箇所）に有するものとすることが好ましい。張出部は、当該箇所の先端側及び基端側の何れよりも外方に張り出すものとすることができる。
【００６４】
接続体の本体部の外周部が、基端側から先端側に向かって縮小部と非縮小部が交互に繰り返すことにより非連続的に（例えば、一定規則に従って若しくは従わずに段階的に）縮小するものである場合、張出部は、例えば、縮小部の基端側又は非縮小部の先端側に有するものとすることができる。より具体的には、本体部の外周部が、本体部の軸線方向［基端先端方向］の一定長さ又は種々の長さ毎に、先端側に位置するものほど半径が小さい複数のほぼ一定半径の略円筒状外周部（非縮小部）と、軸線方向において隣り合う略円筒状外周部同士の間を構成する縮径部である円環状部（縮小部）からなる形状の場合、縮小部である円環状部の基端側又は非縮小部である略円筒状外周部の先端側に張出部を有するものとすることができるが、これに限るものではない。
【００６５】
接続体が、開口端部を有する先端側から、管状路の開口部に挿入された場合に、その開口部及び管状路に適合するように、前記本体部が変形し得ると共に、外方に張り出した張出部が変形して管状路の開口部又は管状路内に密着し得、前記管状路と前記作動体を接続体により気密状に接続し得る。そのように気密状に接続した状態で接続体の基端部に結合した作動体の吸引機能又は加圧機能等を発揮させることにより、管状路に対し吸引又は加圧等を作用させ、管状路の閉塞解除等を効果的に行うことができる。
【００６６】
接続体の本体部の外周部における軸線方向の２以上の箇所に張出部を有し、前記本体部の外周部における２以上の箇所のうち何れかの箇所よりも他の箇所が縮小している場合、管状路の開口部又は管状路内のうち形状や寸法が異なり得る２箇所以上において、それぞれ本体部における外径等の大きさが異なる外周部に有する別々の張出部が管状路の開口部又は管状路内に密着し得るので、管状路と作動体を接続体によって確実性高く気密状に接続し得る。
【００６７】
本体部の外周部が基端側から先端側に向かって一定規則に従って若しくは従わずに段階的に（好ましくは３段階以上に）縮小する部分を有する場合、管状路の開口部又は管状路内のうち形状や寸法が異なり得る箇所において、各段階の外周部が前記開口部又は管状路内に密着し得るので、張出部が前記開口部又は管状路内に密着し得ることと相まって、管状路と作動体を接続体によって一層効果的に気密状に接続し得る。
【００６８】
張出部は、柔軟に変形し得るものであること、例えば、本体部よりも柔軟に変形し得るものであることが、張出部が管状路の開口部又は管状路内に密着して管状路と作動体を接続体によってより確実に気密状に接続する上で望ましい。
【００６９】
張出部を本体部よりも柔軟に変形し得るものとするには、例えば、
本体部の軸線方向に対し直交する平面に沿った形状（例えば鍔状）をなすものとすること；
張出部の厚さ（接続体の軸線方向の厚さ）を本体部の厚さよりも薄くする（例えば７０％以下、好ましくは５０％以下、より好ましくは４０％以下）こと（この場合は、張出部と本体部が同じ材料からなるものとすることができるが、必ずしもこれに限るものではない。）；
張出部を構成する弾力性を有する材料（例えば、合成ゴムや天然ゴムのようにゴム状弾性を有する材料、弾力性を有する合成樹脂材料等）を、本体部を構成する材料よりも柔軟に変形し得る材料として例えば一体成形又は別体の張出部を接合して接続体とすること；
或いはこれらの２以上の組み合わせ
とすることができる。
【００７０】
張出部が接続体の本体部の外周部から外方へ張り出す幅は、本体部の外周部における軸線方向の当該箇所の外周で囲まれた内側の横断面積をＳとした場合に、（４Ｓ／π）の正の平方根の７％以上とすることができる。好ましくは８％以上、より好ましくは９％以上又は１０％以上である。大便器等の排水管閉塞解除に用い得る管状路用具においては、例えば８ｍｍ以上とすることができる。好ましくは９ｍｍ以上、より好ましくは１０ｍｍ以上である。
【００７１】
張出部は、本体部の全周にわたり張り出すものとすることができる。張出部の張り出し幅は、全周にわたり一定とすることができるが必ずしもこれに限るものではない。
【符号の説明】
【００７２】
１ａ    第１の略円筒状外周部
１ｂ    第１の円環状部
２ａ    第２の略円筒状外周部
２ｂ    第２の円環状部
３ａ    第３の略円筒状外周部
３ｂ    第３の円環状部
Ａ      接続体
Ａ１    開口端部
ＡＸ    本体部
ＡＸ１  内周面部
Ｂ      作動体
Ｂ１    柄結合部
Ｂ２    開口側部
Ｃ      管状路用具
Ｄ      柄
Ｆ１    張出部
Ｆ２    張出部
【要約】
【課題】  少なくとも吸引機能又は加圧機能を有する作動体と、開口部を有する管状路を、効果的に気密状に接続し得る接続体、及び、その接続体と前記作動体が結合した、排水管の閉塞解除等を行うための管状路用具の提供。
【解決手段】  椀形状の作動体Ｂの開口部Ｂ２と筒状の本体部ＡＸの基端部が結合した接続体Ａを合成ゴムにより一体成形し、柄Ｄの先端部を作動体Ｂの底部に結合させる。本体部ＡＸは、先端側に位置するものほど外径が小さいほぼ一定半径の３つの略円筒状外周部、すなわち、作動体Ｂの開口部Ｂ２に結合した本体部ＡＸの基端部よりも外径が小さい第１の略円筒状外周部１ａと、それよりも外径が小さい第２の略円筒状外周部２ａと、更に外径が小さい第３の略円筒状外周部３ａを有する。本体部ＡＸの外周部における基端部及び先端部に、外方に張り出して柔軟に変形し得る鍔状の張出部を有する。
【選択図】      図１【図１】
0006892938.tif 000002
【図２】
0006892938.tif 000003
【図３】
0006892938.tif 000004
【図４】
0006892938.tif 000005